(57)【要約】【課題】ＵＭＴＳセルベースのネットワーク分析に必要な情報を提供することができること。【解決手段】本発明のシステム（１００）は、メッセージカバレージエリア（２２）内への少なくとも１つのメッセージ（２１）を受信し、前記少なくとも１つのメッセージ（２１）を、前記少なくとも１つのメッセージ（２１）が関係付けられている前記通話（２３）とリンクし、前記少なくとも１つのメッセージ（２１）と関連付けられている無線リンク（８６）を判定し、無線リンク（８６）が追加されている場合にはデータレコード（２６）を生成し、前記少なくとも１つのメッセージ（２１）及び前記メッセージカバレージエリア（２２）と関連付けられている、前記少なくとも１つのセルベースの統計情報（２７）を、前記データレコード（２６）に提供する。【選択図】図３
2007129706.tif 000002
【特許請求の範囲】
【請求項１】
通話（２３）に関係する少なくとも１つのメッセージ（２１）の少なくとも１つのセルベースの統計情報（２７）を提供する方法（２００）において、
メッセージカバレージエリア（２２）内への前記少なくとも１つのメッセージ（２１）を受信する段階と、
前記少なくとも１つのメッセージ（２１）を、前記少なくとも１つのメッセージ（２１）が関係付けられている前記通話（２３）とリンクする段階と、
前記少なくとも１つのメッセージ（２１）と関連付けられている無線リンク（８６）を判定する段階と、
データレコードが前記無線リンク（８６）用にまだ確立されていない場合に、前記無線リンク（８６）に関係するデータレコード（２６）を生成する段階と、
前記少なくとも１つのメッセージ（２１）及び前記メッセージカバレージエリア（２２）と関連付けられている、前記少なくとも１つのセルベースの統計情報（２７）を、前記データレコード（２６）に提供する段階と、
を有することを特徴とする方法（２００）。
【請求項２】
品質情報（２７Ａ）を前記データレコード（２６）に提供する段階と、
メッセージカバレージエリア情報（２７Ｂ）を前記データレコード（２６）に提供する段階と、
前記少なくとも１つのセルベースの統計情報（２７）の計測結果（２７Ｃ）を前記データレコード（２６）に提供する段階と、
前記少なくとも１つのメッセージ（２１）が処理された際に、前記メッセージカバレージエリア（２２）と関連付けられているメッセージカウント（２７Ｄ）を増分する段階と、
を更に有することを特徴とする請求項１記載の方法（２００）。
【請求項３】
前記受信段階は、
前記メッセージカバレージエリア（２２）と関連付けられた少なくとも１つのインターフェイス（９２）を監視して前記少なくとも１つのメッセージ（２１）を検出する段階と、
前記少なくとも１つのメッセージ（２１）から、前記少なくとも１つのメッセージ（２１）が関連付けられている前記通話（２３）を判定する段階と、
前記通話（２３）から前記少なくとも１つのセルベースの統計情報（２７）を判定する段階と、
を有することを特徴とする請求項１記載の方法（２００）。
【請求項４】
互いに影響しているセル（８９）内の通話を判定し、且つ、時間に伴うネットワークリソースの使用法を判定する方法（３００）において、
少なくとも１つのインターフェイス（９２）を通じてセル（８９）内への少なくとも１つのメッセージ（２１）を受信する段階と、
前記少なくとも１つのメッセージ（２１）を、前記少なくとも１つのメッセージ（２１）が関連付けられている通話（２３）とリンクする段階と、
前記少なくとも１つのメッセージ（２１）と関連付けられている無線リンク（８６）を判定する段階と、
データレコードが前記無線リンク（８６）用にまだ確立されていない場合に、前記無線リンク（８６）に関係するデータレコード（２６）を生成する段階と、
前記少なくとも１つのメッセージ（２１）及び前記メッセージカバレージエリア（２２）と関連付けられている、前記少なくとも１つのセルベースの統計情報（２７）を、前記データレコード（２６）に提供する段階と、
前記セル（８９）の状態を判定するべく、前記少なくとも１つのセルベースの統計情報（２７）を使用して表形式の図を生成する段階と、
無線リンクセットアップ図（２０）を生成することにより、時間の関数として利用可能な前記セル（８９）と関連付けられたいくつかの前記無線リンク（８６）、無線リンク（８６）のタイプ、前記無線リンク（８６）がソフトハンドオーバーに対して具備している関係、及び前記無線リンク（８６）によって使用される帯域幅を示す段階と、
時間（１０２）の関数として通話（２３）当たりの最大ビットレート（１０４）及び平均ビットレート（１０６）を示すビットレート図（３０）を生成する段階と、
時間（１０２）の関数としてセルベースのＳＩＲ（Ｓｉｇｎａｌ−ｔｏ−Ｉｎｔｅｒｆｅｒｅｎｃｅ  Ｒａｔｉｏ）、ＱＥ（Ｑｕａｌｉｔｙ  Ｅｓｔｉｍａｔｅ）、及びＣＲＣＩ（Ｃｙｃｌｉｃ  Ｒｅｄｕｎｄａｎｃｙ  Ｃｈｅｃｋｓｕｍ  Ｉｎｄｉｃａｔｏｒ）図（４０）を生成する段階と、
時間（１０２）及び前記セル（８９）の関数として、互いに影響を与えるセル（８９）内の通話（２３）を示す専用計測分析図（５０）を生成する段階と、
前記表形式の図、前記無線リンクセットアップ図（２０）、前記ビットレート図（３０）、前記セルベースのＳＩＲ、ＱＥ、及びＣＲＣＩ図（４０）、並びに、前記専用計測分析図（５０）を分析することにより、時間（１０２）の関数として前記ネットワークリソースの使用法を判定する段階と、
を有することを特徴とする方法（３００）。
【請求項５】
周波数、スクランブリングコード、定義されているＴ−ｃｅｌｌ値、開始時間、最終イベント時間、ノードＢ名、前記セル（８９）の状態を判定し、これらを前記データレコード（２６）に提供する段階を更に有することを特徴とする請求項４記載の方法（３００）。
【請求項６】
前記セル（８９）のローディングに関係する無線リンク再構成（１０７）を判定する段階を更に有することを特徴とする請求項４記載の方法（３００）。
【請求項７】
パラメータを前記データレコード（２６）に提供する段階を更に有することを特徴とする請求項４記載の方法（３００）。
【請求項８】
ＱＥのセルベースの平均値を前記専用計測分析図（５０）に追加する段階を更に有することを特徴とする請求項４記載の方法（３００）。
【請求項９】
時間（１０２）の関数として前記通話（２３）の専用計測報告書を示す３次元の専用計測図を生成する段階を更に有し、前記３次元の専用計測図は、通話（２３）間における影響を示す能力を有していることを特徴とする請求項４記載の方法（３００）。
【請求項１０】
セル内の通話間における影響を検出する方法（４００）において、
セルベースの統計情報（２７）を判定する段階と、
前記セルベースの統計情報（２７）の無線リンクセットアップ図（２０）を生成することにより、前記セル（８９）内の前記通話（２３）間の影響を検出する段階と、
を有することを特徴とする方法（４００）。
【請求項１１】
同一の通話（２３）に関係するメッセージ（２１）の少なくとも１つのセルベースの統計情報（２７）を提供するシステム（１００）において、
少なくとも１つのインターフェイス（９２）を通じてメッセージカバレージエリア（２２）内への少なくとも１つのメッセージ（２１）を受信する能力を有するセルメッセージレシーバ（１１）と、
前記受信した少なくとも１つのメッセージ（２１）が前記メッセージカバレージエリア（２２）内のその他のメッセージ（２１）と関連付けられた前記通話（２３）の一部である場合に、前記受信した少なくとも１つのメッセージ（２１）を前記その他のメッセージ（２１）にリンクする能力を有するメッセージ通話リンカ（１３）と、
前記受信した少なくとも１つのメッセージ（２１）と関連付けられている無線リンク（８６）を判定する能力を有する無線リンクファインダ（１５）と、
前記無線リンク（８６）と関連付けられているデータレコード（２６）を生成する能力を有するデータレコードクリエータ（１７）と、
前記データレコード（２６）内において、前記少なくとも１つのセルベースの統計情報（２７）を提供する能力を有するデータレコードポピュレータ（１９）であって、前記セルベースの統計情報（２７）は、前記受信した少なくとも１つのメッセージ（２１）及び前記メッセージカバレージエリア（２２）と関連付けられている、データレコードポピュレータ（１９）と、
を有することを特徴とするシステム（１００）。
【請求項１２】
前記データレコードポピュレータ（１９）は、前記少なくとも１つのセルベースの統計情報（２７）に関する情報を前記データレコード（２６）に提供することを特徴とする請求項１１記載のシステム（１００）。
【請求項１３】
前記セルメッセージレシーバ（１１）は、前記受信した少なくとも１つのメッセージ（２１）が処理された際に、メッセージカバレージエリア（２２）と関連付けられているメッセージカウント（２７Ｄ）を増分する能力を有することを特徴とする請求項１１記載のシステム（１００）。
【請求項１４】
前記データレコード（２６）にアクセスし、図の形態において前記少なくとも１つのセルベースの統計情報（２７）を提供する能力を有するセルベースの統計情報プロセッサ（２８）を更に有することを特徴とする請求項１１記載のシステム（１００）。
【請求項１５】
前記図は、表形式の図、無線リンクセットアップ図（２０）、ビットレート図（３０）、セルベースのＳＩＲ（Ｓｉｇｎａｌ−ｔｏ−Ｉｎｔｅｒｆｅｒｅｎｃｅ  Ｒａｔｉｏ）、ＱＥ（Ｑｕａｌｉｔｙ  Ｅｓｔｉｍａｔｅ）、ＣＲＣＩ（Ｃｙｃｌｉｃ  Ｒｅｄｕｎｄａｎｃｙ  Ｃｈｅｃｋｓｕｍ  Ｉｎｄｉｃａｔｏｒ）図（４０）、及び専用計測分析図（５０）を含むことを特徴とする請求項１４記載のシステム。
【請求項１６】
請求項１記載の方法（２００）をコンピュータ（８５）に実行させる能力を有するコードを具備することを特徴とするコンピュータ可読媒体（８１）。
【請求項１７】
請求項１記載の方法（２００）を実行するために、コンピュータ（８５）を通信ネットワーク（８４）に電子的に接続させることが可能な構成を伝える、前記通信ネットワーク（８４）上を伝播する電磁信号として実施されていることを特徴とするコンピュータ信号。
【請求項１８】
同一の通話（２３）に関係する少なくとも１つのメッセージ（２１）の少なくとも１つのセルベースの統計情報（２７）を提供するシステム（１００）において、
メッセージカバレージエリア（２２）内への前記少なくとも１つのメッセージ（２１）を受信する手段と、
前記少なくとも１つのメッセージ（２１）を、前記少なくとも１つのメッセージ（２１）が関連付けられている前記通話（２３）とリンクする手段と、
前記少なくとも１つのメッセージ（２１）と関連付けられている無線リンク（８６）を判定する手段と、
データレコード（２６）が前記無線リンク（８６）用にまだ確立されていない場合に、前記無線リンク（８６）と関係するデータレコード（２６）を生成する手段と、
前記少なくとも１つのメッセージ（２１）及び前記メッセージカバレージエリア（２２）と関連付けられている、前記少なくとも１つのセルベースの統計情報（２７）を、前記データレコード（２６）に提供する手段と、
を有することを特徴とするシステム（１００）。
【請求項１９】
品質情報（２７Ａ）を前記データレコード（２６）に提供する手段と、
メッセージカバレージエリア情報（２７Ｂ）を前記データレコード（２６）に提供する手段と、
前記少なくとも１つのセルベースの統計情報（２７）の計測結果（２７Ｃ）を前記データレコード（２６）に提供する手段と、
前記少なくとも１つのメッセージ（２１）が処理される際に、前記メッセージカバレージエリア（２２）と関連付けられているメッセージカウント（２７Ｄ）を増分する手段と、
を更に有することを特徴とする請求項１８記載のシステム（１００）。
【請求項２０】
前記受信手段は、
前記メッセージカバレージエリア（２２）と関連付けられている少なくとも１つのインターフェイス（９２）を監視して前記少なくとも１つのメッセージ（２１）を検出する手段と、
前記少なくとも１つのメッセージ（２１）から、前記少なくとも１つのメッセージ（２１）が関連付けられている前記通話（２３）を判定する手段と、
前記通話（２３）から、前記少なくとも１つのセルベースの統計情報（２７）を判定する手段と、
を更に有することを特徴とする請求項１８記載のシステム（１００）。
【発明の詳細な説明】
【技術分野】
【０００１】
本発明は、一般に、モバイルネットワークの状態の追跡に関するものであり、更に詳しくは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）セルの状態を追跡するシステム及び方法に関するものである。
【背景技術】
【０００２】
ＵＭＴＳは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）及びＧＰＲＳ（Ｇｅｎｅｒａｌ  Ｐａｃｋｅｔ  Ｒａｄｉｏ  Ｓｅｒｖｉｃｅ）コアネットワークの両方に対する共通インターフェイスを提供するモバイル通信に関係した第３世代（３Ｇ）のアクセスネットワークである。３Ｇシステムは、例えば、テレフォニー、ページング、メッセージング、インターネット、及びブロードバンドデータなどのサービスを通じてグローバルな移動性を提供することを目的としている。ＵＭＴＳの形態で欧州通信規格協会（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ：ＥＴＳＩ）が完成させた３Ｇシステム（ＩＭＴ−２０００）の規格を定義するプロセスを開始したのは、国際電気通信連合（Ｉｎｔｅｒｎａｔｉｏｎａｌ  Ｔｅｌｅｃｏｍｍｕｎｉｃａｔｉｏｎ  Ｕｎｉｏｎ：ＩＴＵ）である。１９９８年に、技術的な仕様の作業を継続するべく、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）が形成された。３ＧＰＰは、無線アクセスネットワーク、コアネットワーク、端末、サービス・システム態様、及び、ＧＥＲＡＮ（ＧＳＭ  Ｅｎｈａｎｃｅｄ  Ｄａｔａ  ｒａｔｅ  ｆｏｒ  ＧＳＭ  Ｅｖｏｌｕｔｉｏｎ（ＥＤＧＥ）  Ｒａｄｉｏ  Ａｃｃｅｓｓ  Ｎｅｔｗｏｒｋ）という５つの主要なＵＭＴＳ規格のエリアを具備している。１９９９年に、ＵＭＴＳのフェーズ１（リリース’９９、バージョン３）が完成している。
【０００３】
ＵＭＴＳネットワークは、ＣＮ（Ｃｏｒｅ  Ｎｅｔｗｏｒｋ）、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）、及びＵＥ（Ｕｓｅｒ  Ｅｑｕｉｐｍｅｎｔ）という相互に影響を及ぼす３つのドメインから構成されている。ＣＮの主要な機能は、ユーザートラフィックのスイッチング、ルーティング、及び搬送を提供することにある。又、ＣＮは、データベース及びネットワークの管理機能をも含んでいる。ＵＭＴＳの基本的なＣＮアーキテクチャは、ＧＰＲＳを有するＧＳＭネットワークに基づいている。すべての機器をＵＭＴＳの動作及びサービス用に変更しなければならない。ＵＴＲＡＮは、ＵＥ用の無線インターフェイスアクセス法を提供している。基地局は、ノードＢと呼ばれ、ノードＢ用の制御装置は、ＲＮＣ（Ｒａｄｉｏ  Ｎｅｔｗｏｒｋ  Ｃｏｎｔｒｏｌｌｅｒ）と呼ばれている。このシステムのエリアを最大のものから最小のものへと順番に並べると、ＵＭＴＳシステム（衛星を含む）、ＰＬＭＮ（Ｐｕｂｌｉｃ  Ｌａｎｄ  Ｍｏｂｉｌｅ  Ｎｅｔｗｏｒｋ）、ＭＳＣ（Ｍｏｂｉｌｅ  Ｓｗｉｔｃｈｉｎｇ  Ｃｅｎｔｅｒ）／ＶＬＲ（Ｖｉｓｉｔｏｒ  Ｌｏｃａｔｉｏｎ  Ｒｅｇｉｓｔｅｒ）又はＳＧＳＮ（Ｓｅｒｖｉｃｅ  ｆｏｒ  ＧＰＲＳ  Ｓｕｐｐｏｒｔ  Ｎｏｄｅ）、ロケーションエリア、ルーティングエリア（ＰＳ（Ｐａｃｋｅｔ  Ｓｗｉｔｃｈ）ドメイン）、ＵＴＲＡＮレジストレーションエリア（ＰＳドメイン）、ノードＢ、及びサブセルとなる。
【０００４】
ノードＢの機能は、無線インターフェイスの送受信、変調／復調、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）物理チャネルコーディング、マイクロダイバーシティ、エラー処理、閉ループのパワー制御である。ＲＮＣの機能は、無線リソースの制御、アドミッション制御、チャネルの割り当て、パワー制御の設定、ハンドオーバーの制御、マクロダイバーシティ、暗号化、セグメント化／リアセンブリ、ブロードキャストシグナリング、開ループのパワー制御である。それぞれのＲＮＣは、（パケット及び回線ドメインの両方において）ＩｕインターフェイスによってＣＮに接続されており、ＲＮＣは、Ｉｕｒインターフェイスによって１つに接続されている。それぞれのノードＢは、ＩｕｂインターフェイスによってＲＮＣに接続されている。１つの移動局（ＵＥに相当）は、複数のセル／ノードＢに対する無線接続を具備することができ、ＲＮＣは、サービスの使用法に応じて、異なるデータレート間においてスイッチング可能である。
【０００５】
ＣＮは、回線交換（Ｃｉｒｃｕｉｔ  Ｓｗｉｔｈｃｅｄ：ＣＳ）及びＰＳドメインに分割される。ＣＳ要素の中には、ＭＳＣ、ＶＬＲ、及びゲートウェイＭＳＣがある。ＰＳ要素は、ＳＧＳＮ及びＧＧＳＮ（Ｇａｔｅｗａｙ  ＧＰＲＳ  Ｓｕｐｐｏｒｔ  Ｎｏｄｅ）である。いくつかのネットワーク要素は、両方のドメインによって共有されている。
【０００６】
ＵＭＴＳなどのセルラーシステムの基本的な地理的単位はセルである。市又は郡は、「セル」に分割され、このそれぞれが、無線送信機／受信機を具備している。セルは、地形や容量需要などに応じて様々なサイズを有することができる。送信パワーを制御することにより、１つのセルに割り当てられている無線周波数をそのセルの境界に限定することができる。無線電話機が１つのセルから別のものに向かって移動する際には、ＭＴＳＯ（Ｍｏｂｉｌｅ  Ｔｅｌｅｐｈｏｎｅ  Ｓｗｉｔｈｃｉｎｇ  Ｏｆｆｉｃｅ）に位置したコンピュータが、移動を監視し、適切な時点において、その電話の通話を新しいセルに転送又はハンドオフし、別の無線周波数が割り当てられる。ハンドオフ又はハンドオーバーは、通話者が気付かないほどに迅速に実行される。
【０００７】
ハンドオーバーには、ハードハンドオーバー、ソフトハンドオーバー、及びソフターハンドオーバーという３つのタイプが存在している。ハードハンドオーバーにおいては、新しい無線リンクが確立される前に、ＵＥ内のすべての古い無線リンクが除去される。ハードハンドオーバーは、シームレス又は非シームレスであってよい。シームレスハードハンドオーバーとは、ハンドオーバーがユーザーにとって知覚可能でないことを意味している。実際には、キャリア周波数の変化を必要とするハンドオーバー（周波数間ハンドオーバー）は、常にハードハンドオーバーとして実行されている。
【０００８】
ソフトハンドオーバーの際には、ＵＥが常に少なくとも１つの無線リンクをＵＴＲＡＮに対して維持するように、無線リンクの追加及び除去が行われる。ソフトハンドオーバーは、マクロダイバーシティによって実行され、マクロダイバーシティとは、いくつかの無線リンクが同時にアクティブである状態を意味している。通常、ソフトハンドオーバーは、同一周波数上において動作しているセルを変更する際に使用可能である。ソフターハンドオーバーとは、ソフトハンドオーバーの特殊なケースであり、この場合には、追加及び除去される無線リンクが同一のノードＢに属しており、このノードＢは、同一場所に設置された複数の基地局のサイトであり、これらの基地局からいくつかのセクタ−セルがサービスを受けている。
【０００９】
セルサイトとは、無線アンテナ及びネットワーク通信装置が配置されている場所のことである。セルサイトは、送信機／受信機、アンテナタワー、無線通信装置、及び無線コントローラから構成されている。セルサイトは、ＷＳＰ（Ｗｉｒｅｌｅｓｓ  Ｓｅｒｖｉｃｅ  Ｐｒｏｖｉｄｅｒ）によって運営されている。特定の大きさの地形を複数のセルサイトによってカバーすることにより、無線システム内において、相対的に大きなカバレージ及び容量を生成することができる。この場合には、それぞれのセルサイトは、相対的に小さなパワーＭＨｚによって、相対的に小さな領域をカバーしており、従って、市や大都市圏などの相対的に大きな地理的カバレージエリア内において周波数を何倍にも再使用する能力が提供される。
【００１０】
ＵＥは、通常、セルをサーチし、セルのダウンリンクスクランブリングコード及びフレーム同期化を判定する。このプロセスは、通常、スロット同期化、フレーム同期化及びコードグループ識別、並びに、スクランブリングコード識別という３つの段階を伴っている。スロット同期化においては、通常、ＵＥは、同期チャネル（ＳＣＨ）のプライマリ同期コードを使用してセルに対するスロット同期化を得る必要がある。これは、通常、すべてのセルに共通したプライマリ同期コードに対して整合された単一の整合フィルタ（又は、任意の類似した装置）によって実行される。整合フィルタ出力内においてピークを検出することにより、セルのスロットタイミングを取得することができる。フレーム同期化及びコードグループ識別は、通常、ＳＣＨのセカンダリ同期コードを使用してフレーム同期化を検出し、第１段階において検出されたセルのコードグループを識別するＵＥを伴っている。これは、受信信号をすべての可能なセカンダリ同期コードシーケンスと相関させて最大相関値を識別することにより、行われる。シーケンスの周期的なシフトが一意であるため、コードグループとフレーム同期化が判定される。
【００１１】
ＳＣＨは、セルサーチに使用されるダウンリンク信号である。ＳＣＨは、プライマリ及びセカンダリＳＣＨという２つのサブチャネルから構成されている。プライマリ及びセカンダリＳＣＨの１０ｍｓ無線フレームは、それぞれが２５６０チップの長さを有する１５スロットに分割されている。プライマリＳＣＨは、２５６チップの長さを有する変調コードから構成されており、プライマリ同期コード（ＰＳＣ）は、すべてのスロットごとに１回ずつ伝送される。ＰＳＣは、システム内のすべてのセルについて同一である。セカンダリＳＣＨは、プライマリＳＣＨとパラレルに伝送される２５６チップの長さを有する変調コードの長さ１５のシーケンス（セカンダリ同期コード（ＳＳＣ））を反復伝送する段階から構成されている。それぞれのＳＳＣは、長さ２５６の１６個の異なるコードの組から選択される。このセカンダリＳＣＨ上におけるシーケンスは、セルのダウンリンクスクランブリングコードが属しているコードグループを示している。
【００１２】
セルサーチ手順の第３の（且つ、最後の）段階において、ＵＥは、検出されたセルによって使用されている正確なプライマリスクランブリングコードを判定する。プライマリスクランブリングコードは、通常、第２段階において識別されたコードグループ内のすべてのコードとのＣＰＩＣＨ（Ｃｏｍｍｏｎ  Ｐｉｌｏｔ  Ｃｈａｎｎｅｌ）上のシンボルごとの相関を通じて識別される。プライマリスクランブリングコードを識別した後に、プライマリＣＣＰＣＨ（Ｃｏｍｍｏｎ  Ｃｏｎｔｒｏｌ  Ｐｈｙｓｉｃａｌ  Ｃｈａｎｎｅｌ）を検出することができ、且つ、システム及びセル固有のＢＣＨ情報を判読することができる。スクランブリングコードは再使用可能である。
【００１３】
トラブルシューティングを支援する従来技術による通話追跡アプリケーションは、単一の通話又はデータセッションに関係するすべてのシグナリングメッセージを１つにグループ化している。メッセージが電子情報の最小単位である。この結果、多数の通話／セッションが表示可能であり、グラフィカルに強調表示することにより、エラーを識別可能とすることができる。通話識別変数及び統計情報、並びに、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、セットアップ時間、及びクリアダウン時間などの変数が表示可能である。又、通話追跡アプリケーションによれば、マルチセグメントメッセージフローチャートと、複数のネットワーク要素に跨った制御メッセージングを単純化することのできるメッセージシーケンスの表示も可能である。通話追跡アプリケーションは、Ｉｕｂ、Ｉｕｒ、及びＩｕインターフェイスに跨ったＵＭＴＳ通話の追跡を提供することができる。ＵＭＴＳのＩｕｂインターフェイス用のＩｕｂセッション追跡ツールは、ＮＢＡＰ（Ｎｏｄｅ  Ｂ  Ａｐｐｌｉｃａｔｉｏｎ  Ｐａｒｔ）、ＡＬＣＡＰ（Ａｃｃｅｓｓ  Ｌｉｎｋ  Ｃｏｎｔｒｏｌ  Ａｐｐｌｉｃａｔｉｏｎ  Ｐｒｏｔｏｃｏｌ）、ＲＲＣ（Ｒａｄｉｏ  Ｒｅｓｏｕｒｃｅ  Ｃｏｎｔｒｏｌ）、及びその他のプロトコルのシグナリングメッセージをキャプチャし、グループ化することができる。ＵＭＴＳのＩｕインターフェイス用のＩｕセッション追跡ツールは、ＰＤＰ（Ｐａｃｋｅｔ  Ｄａｔａ  Ｐｒｏｔｏｃｏｌ）コンテキスト及びＵＭＴＳのアタッチ／デタッチ手順などのユーザーセッションのシグナリングメッセージをキャプチャし、グループ化することができる。ＵＭＴＳのＩｕｒインターフェイス用のＩｕｒセッション追跡ツールは、ＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）、ＡＬＣＡＰ、ＲＲＣ、及びその他のプロトコルのシグナリングメッセージをキャプチャし、グループ化することができる。
【００１４】
通話追跡アプリケーションを拡張することにより、Ｉｕｂ及びＩｕｒインターフェイスについて算出可能な通話識別子、通話特性、通話持続時間、モバイル識別子、ダイヤル／発呼番号、通話タイプ（ＳＭＳ（Ｓｈｏｒｔ  Ｍｅｓｓａｇｅ  Ｓｅｒｖｉｃｅ）／ＰＤＰ／セットアップ／場所更新など）などの重要な通話固有のパラメータを定義することができる。更には、通話追跡アプリケーションは、例えば、使用タイプ、統計情報タイプ（例えば、フレームカウント、バイトカウント、及びフレーム／秒など）、及びパターン（例えば、レンジリスト及びワイルドカードなど）などのパラメータに基づいてＡＴＭ（Ａｓｙｎｃｈｒｏｎｏｕｓ  Ｔｒａｎｓｆｅｒ  Ｍｅｔｈｏｄ）ネットワーク内における性能及び傾向を検討するための様々な統計情報を収集することができる。
【００１５】
通話追跡アプリケーションは、（１）インターフェイス上においてメッセージを監視し、（２）受信メッセージをデコード及び暗号解読し、（３）同一通話に関係するデコード及び暗号解読されたメッセージを１つにリンクし、（４）ＫＰＩ（Ｋｅｙ  Ｐｅｒｆｏｒｍａｎｃｅ  Ｉｎｄｉｃａｔｏｒ）及び情報要素をメッセージから抽出してＣＤＲ（Ｃａｌｌ  Ｄａｔａ  Ｒｅｃｏｒｄ）に書き込むという概略フローを有している。換言すれば、通話を時間に伴ってリアセンブルしているのであり、分析ソフトウェアは、それぞれの通話の異なる状態を示す（従って、エラーを強調表示する）通話に関連した統計情報のグラフィカルな表現を生成する。
【００１６】
ＵＭＴＳセルとの関連においては、従来技術によるセルベース(ｃｅｌｌ−ｂａｓｅｄ)（セルに基づいた）の統計情報は、例えば、インターフェイス上においてメッセージを監視し、それらのメッセージをデコード及び暗号解読し、それらのメッセージをカウントし、それらを特定のセルにリンクすることにより、収集されている。
【発明の開示】
【発明が解決しようとする課題】
【００１７】
（ａ）セルに関連するデータを処理及び提示し、（ｂ）Ｉｕｂ信号及びユーザーデータをポスト処理するツールが求められている。通話に基づいた（通話ベースの）ＵＴＲＡＮシステムは、ＣＤＲを使用している。現在利用可能な通話当たりのデータは、初期セル、最終セル、障害セル、並びに、通話セットアップにおける平均値として、ＢＬＥＲ（Ｂｌｏｃｋ  Ｅｒｒｏｒ  Ｒａｔｅ）を示している。通話ベースの図は、（ａ）通話を確立する際に使用されるセル、（ｂ）例えば、ＢＬＥＲ、品質推定、及びＲＬＣ（Ｒａｄｉｏ  Ｌｉｎｋ  Ｃｏｎｔｒｏｌ）再伝送などのセルベースのＫＰＩ、（ｃ）ＲＲＣ接続セットアップレート、（ｄ）確立されたソフトハンドオーバーレッグの持続時間、（ｅ）例えば、無線インターフェイス上に確立された３８４ｋｂパイプをＷＡＰサービスが使用しているかどうか、又はリンクの再構成に要する時間などの使用されている無線リソース／確立された無線リソース、（ｆ）セル内において並行して確立されている通話数（不良な無線リンクの標識）、及び（ｇ）不要なソフトハンドオーバーレッグなど、セルベースのネットワーク分析に必要な情報を提供していない。多くのセルが存在する状況においては、効率的な低レベルのトラブルシューティング及びハイレベルな問題標識が必要とされている。同様に、障害が発生した又は障害が発生中のセルを特定するべく、高分解能のデータをチェックすることも有用である。
【００１８】
複数のユーザーがＷＣＤＭＡ技術のネットワークリソースを共有可能であり、従って、異なる通話が互いに影響する可能性を有しているため、セルベースの処理により、時間の経過に伴う単一のセル又はノードＢ（以下においては、これを、セル、ノードＢ、又はセル／ノードＢと呼ぶ）のデータを要約することができる。ＵＭＴＳのユビキタスな使用に伴い、メッセージ間の通話関係を維持しつつ、セルベースのアクティビティを追跡することにより、このような影響に関連する問題を識別するニーズが存在している。
【００１９】
このようなセルベースの処理は、共通のＮＢＡＰメッセージと関連した統計情報の分析を通じてセル／ノードＢ内の問題を迅速に強調表示するのに有用であろう。又、例えば、セルベースのメッセージに基づいて３次元の図として統計情報を表現することは、セル／ノードＢ無線及びＩｕｂ／Ｉｕｒリソースの最適化に有用であり、ネットワーク計画を支援可能とするであろう。セルベースの統計情報の分析により、大きなデータログファイルを分析するのに要する時間を低減することが可能であり、ネットワーク内において発生している内容の概観を提供することが可能であり、且つ、従来技術のシグナリングアナライザによっては分析及び通知の不可能な問題を強調表示することも可能であろう。
【課題を解決するための手段】
【００２０】
本発明によれば、前述のニーズと、更なるその他のニーズ及び利点が実現される。本発明の解決策及び利点は、後述する例示用の実施例によって実現される。
【００２１】
本発明のシステム及び方法は、同一の通話に関係するメッセージのセルベースの統計情報及び分析を提供する。本発明の方法は、例えば、セルなどのメッセージカバレージエリア内へのメッセージをインターフェイスを通じて受信し、それらが関連付けられているセルに従ってメッセージを互いにリンクする段階を包含することができる（但し、これに限定されない）。又、本方法は、メッセージと関連する無線リンクを判定する段階、無線リンクがシステム内において以前に登録されていない場合に、例えば、ＣＤＲなどのデータレコードを生成する段階、及びセルベースの統計情報をデータレコードに提供する段階をも包含可能であり、この場合に、セルベースの統計情報は、メッセージ及びメッセージカバレージエリアと関連付けられている。本発明の方法は、任意選択により、品質情報をデータレコードに提供する段階、隣接メッセージカバレージエリア情報をデータレコードに提供する段階、少なくとも１つの統計情報の計測結果をデータレコードに提供する段階、及びメッセージが処理された際にメッセージカバレージエリアと関連付けられているメッセージカウントを増分する段階を包含することができる。
【００２２】
本発明の方法は、任意選択により、インターフェイスを監視してメッセージを検出する段階、メッセージをデコードし、メッセージが関連付けられている通話を判定する段階、及びメッセージを暗号解読してセルベースの統計情報を判定する段階を更に包含することができる。
【００２３】
本発明のシステムは、例えば、セルなどのメッセージカバレージエリア内へのメッセージをインターフェイスを通じて受信可能なセルメッセージレシーバと、受信したメッセージがメッセージカバレージエルア内のその他のメッセージと同一の通話の一部である場合に、受信したメッセージをその他のメッセージとリンク可能なメッセージ通話リンカを包含することができる（但し、これらに限定されない）。又、本システムは、受信メッセージと関連付けられている無線リンクを判定可能とする無線リンクファインダと、無線リンクと関連付けられているデータレコードを生成可能とするデータレコードクリエータをも包含することができる。又、本システムは、受信メッセージ及びメッセージカバレージエリアと関連するセルベースの統計情報をデータレコードにデータ入力するデータレコードポピュレータをも包含することができる。任意選択により、データレコードポピュレータは、品質情報、隣接メッセージカバレージエリア情報、及び計測結果を収集し、これらをデータレコード内に保存することができる。
【００２４】
本発明と、その他の更なるその目的を十分に理解するべく、添付の図面及び以下の詳細な説明を参照されたい。本発明の範囲は、添付の請求項に定義されているとおりである。
【発明を実施するための最良の形態】
【００２５】
以下、本発明の例示用の実施例を示している添付の図面を参照し、本発明について更に詳細に説明する。尚、以下の構成に関する説明は、例示を目的として提示されているものに過ぎず、本明細書に記述されている速度及びインターフェイス要件を満足するあらゆるコンピュータ構成が本発明のシステムの実装に好適であろう。
【００２６】
まず、図１Ａを参照すれば、本発明が稼動可能な地理的環境が示されている。具体的には、ＵＭＴＳセルの構成をカバレージエリアとの関係において観察することができる。領域の一端において、住居構成は、伝送を住居に閉じ込めることが可能であり、領域の他端において、グローバル構成５２は、少なくとも１つのアンテナ５１の使用を通じて世界中にセルラーサービスを提供することができる。建物内５５、都市５４、及び郊外／地方５３の各構成は、中間的なカバレージエリアサイズを提供することができる。これらの地理的な区分のそれぞれを、図示のように、サイズに従ってグループ化することができる。例えば、住居セル５６は、住居内構成を収容可能とし、ピコセル６１は、建物内構成５５を収容可能とし、マイクロセル５９は、都市構成５４を収容可能とする。このサイズのスケースを更に上に移動することにより、マクロセル５８は、郊外／地方構成５３を収容することができ、最終的に、衛星５７は、グローバル構成５２を収容することができる。
【００２７】
次に、図１Ｂ及び図１Ｃを参照すれば、例えば、６セル構成６３（図１Ｂ）及び３セル構成６５（図１Ｃ）などの様々なオーバーラップする構成においてセルを配備することができる。６セル構成６３を使用することにより、ローカルな伝播状態及びアンテナパターンに応じて、（ソフトハンドオーバー領域とも呼ばれる）複数のセルによってサービスされるカバレージエリアを増大することができる。図１Ｂ及び図１Ｃは、アンテナパターン間におけるオーバーラップ６４を示している。実際の配備においては、オーバーラップ６４の大きさは、隣接サイトの影響に起因して更に大きなものであってもよかろう。オーバーラップ６４は、干渉の原因となる可能性を有しているが、この影響は、ソフトハンドオーバーメカニズムによって極小化可能である。
【００２８】
次に図２Ａを参照すれば、本発明が稼動可能なネットワーク環境が示されている。ＲＡＮ（Ｒａｄｉｏ  Ａｃｃｅｓｓ  Ｎｅｔｗｏｒｋ）８８は、少なくとも１つのセル／ノードＢ８９と少なくとも１つのＲＮＣ８７を包含することができ、このそれぞれは、インターフェイス９２からメッセージ２１を受信することができる。インターフェイス９２は、コアネットワーク７１からメッセージを受信しているＡＴＭネットワーク８２から、メッセージ２１を受信することができる。コンピュータ８５は、インターフェイス９２においてメッセージを監視し、メッセージ２１から収集された統計情報２７（図３）を通信ネットワーク電子インターフェイス８４上において伝送し、且つ、メッセージ２１から収集された統計情報２７をコンピュータ可読媒体８１上に保存することができる。
【００２９】
図２Ｂを参照すれば、Ｉｕ９２Ａ、Ｉｕｒ９２Ｂ、Ｉｕｂ９２Ｃインターフェイスによって相互接続及び外部装置に接続されたＲＮＣ８７及びセル／ノードＢ８９の拡大図が示されている。通話追跡のデータフィードは、ソフトウェアハンドオーバー及び個々のレッグ情報を包含することができる。セル追跡のデータフィードは、個々のレッグ情報に始まり、これを変更してセルベースのパラメータ及びセルベースのＫＰＩを生成できるであろう。
【００３０】
次に、図３を参照すれば、本発明のシステム１００は、インターフェイス９２を通じてメッセージカバレージエリア２２内へのメッセージ２１を受信する能力を有するセルメッセージレシーバ１１と、受信したメッセージ２１がメッセージカバレージエリア２２内のその他のメッセージ２１と関連付けられた通話２３の一部である場合に、受信メッセージ２１をその他のメッセージ２１にリンクする能力を有するメッセージ通話リンカ１３を包含することができる（但し、これらに限定されない）。又、システム１００は、受信メッセージ２１と関連付けられた無線リンク８６（図２Ａ）を判定する能力を有する無線リンクファインダ１５、無線リンク８６と関連付けられたデータレコード２６を生成する能力を有するデータレコードクリエータ１７、データレコード２６内において、受信メッセージ２１及びメッセージカバレージエリア２２と関連付けられたセルベースの統計情報２７を提供する能力を有するデータレコードポピュレータ１９をも包含することができる。データレコードポピュレータ１９は、品質情報２７Ａ、隣接メッセージカバレージエリア情報２７Ｂ、及び計測結果２７Ｃをデータレコード２６に対して提供することができる（但し、これらの提供に限定されるものではない）。更には、セルメッセージレシーバ１１は、受信メッセージ２１が処理された際に、メッセージカバレージエリア２２と関連付けられているメッセージカウント２７Ｄを増分する能力をも有している。システム１００は、任意選択により、データレコード２６にアクセスし、セルベースの統計情報２７を図の形態で提供する能力を有するセルベースの統計情報プロセッサ２８をも包含することができる。
【００３１】
図３を更に参照すれば、システム１００は、コンピュータ８５内において稼動可能であり、且つ、ネットワーク電子インターフェイス８４、メッセージ２１、メッセージ２１と関連付けられたインターフェイス９２、及び、セル／ノードＢ８９などのメッセージカバレージエリア２２を通じて受信可能である。システム１００は、任意選択により、通話データベース１６及びデータレコードデータベース２５を包含することができる。通話データベース１６は、どのメッセージ２１がどの通話２３と関連付けられているのかに関するレコードを保持することができ、データレコードデータベース２５は、通話データレコードと、メッセージ２１と関連付けられたセルベースの通話情報を保持することができる。セルベースの統計情報２７は、品質情報２７Ａ、隣接メッセージカバレージ情報２７Ｂ、計測結果２７Ｃ、メッセージカウント２７Ｄ、セル内の無線リンク数２７Ｅ、無線リンクの種類２７Ｆ、無線リンクがソフトハンドオーバーと関係しているかどうか２７Ｇ、無線リンクの帯域幅２７Ｈ、及びセルローディングと関係する無線リンクの再構成及びイベント２７Ｉを包含することができる（但し、これらに限定されない）。
【００３２】
次に主に図４を参照すれば、方法２００は、メッセージカバレージエリア２２（図３）内へのメッセージ２１（図３）を受信する段階（方法段階２０１）、メッセージ２１を、メッセージ２１と関連付けられている通話２３（図３）とリンクする段階（方法段階２０３）、及びメッセージ２１と関連付けられている無線リンク８６（図２Ａ）を判定する段階（方法段階２０５）を包含することができる（但し、これらに限定されない）。無線リンク８６が追加されている場合には（判定段階２０７）、方法２００は、データレコード２６（図３）を生成する段階（２０９）を包含することができる。無線リンク８６が追加されていない場合には（判定段階２０７）、方法２００は、メッセージ２１及びメッセージカバレージエリア２２と関連付けられているセルベースの統計情報２７（図３）をデータレコード２６に提供する段階（２１１）を包含することができる。任意選択により、方法２００は、品質情報２７Ａ（図３）をデータレコード２６に提供する段階、隣接メッセージカバレージエリア情報２７Ｂ（図３）をデータレコード２６に提供する段階、セルベースの統計情報２７の計測結果２７Ｃ（図３）をデータレコード２６に提供する段階（２１３）、及びメッセージ２１が処理された際に、メッセージカバレージエリア２２と関連付けられているメッセージカウント２７Ｄ（図３）を増分する段階（２１５）を包含することができる。
【００３３】
更に図４を参照すれば、方法２００は、そのすべて又は一部を電子的に実装可能である。システム１００（図３）の要素によって実行されるアクションを表す信号は、電子通信媒体８４（図２Ａ）上を伝播可能である。制御及びデータ情報は、電子的に実行され、コンピュータ可読媒体８１（図２Ａ）上に保存可能である。方法２００は、少なくとも１つの通信ネットワーク７１（図２Ａ）内の少なくとも１つのノード８５（図２Ａ）上において稼動するべく実装可能である。コンピュータ可読媒体８１の共通的な形態には、例えば、フロッピー（登録商標）ディスク、フレキシブルディスク、ハードディスク、磁気テープ、又はその他の磁気媒体、ＣＤＲＯＭ又はその他の光学媒体、パンチカード、紙テープ、又は孔のパターンを有するその他の物理的媒体、ＲＡＭ、ＰＲＯＭ、及びＥＰＲＯＭ、フラッシュＥＰＲＯＭ、又はその他のメモリチップ又はカートリッジ、搬送波、又はコンピュータが判読可能なその他の媒体が含まれる。
【００３４】
次に図５Ａを参照すれば、通話ベースのＣＤＲ（通話データレコード）を生成するための１つの可能な構成が示されている。通話ベースのＣＤＲは、通話の開始時点から通話の終了時点までを１つのＣＤＲライン１７１内に示すことができる。通話手順の中の１つの段階において通話がドロップされた場合には、これを１つのＣＤＲ内において示すことができる。又、ＣＤＲライン１７１内の個々のＣＤＲは、ＣＮ及びＲＡＮに対するプロトコルの影響を示すことも可能である。但し、通話がソフター／ソフターハンドオーバー状態にある持続時間及び頻度（又は、隣接セル計測）は示されない。
【００３５】
次に図５Ｂを参照すれば、セルベースのＣＤＲの生成においては、特定の時間フレームのＫＰＩを示すべく、セルＣＤＲライン１（１７２Ａ）、セルＣＤＲライン２（１７２Ｂ）、及びセルＣＤＲライン３（１７２Ｃ）内における通話フェーズの分析が必要となる。従って、例えば、（ａ）新しいソフトハンドオーバーレッグが確立されるか、（ｂ）新しいソフターハンドオーバーレッグが確立されるか、（ｃ）無線リンクが再構成されるか、或いは、（ｄ）物理チャネル再構成／セル更新が存在する場合に、新しい及び既存のレッグのＣＤＲラインが生成可能である。これらの新しいデータを利用し、ポスト処理により、例えば、（ａ）レッグ当たりのＫＰＩ（例えば、ＢＬＥＲ、ＲＬＣ再伝送）、（ｂ）データレート当たりのＫＰＩ（例えば、ＢＬＥＲ、ＲＬＣ再伝送）、（ｃ）セルローディング時間、（ｄ）追加レッグが接続全体に対して寄与可能な内容、（ｅ）時間到来情報、及び／又は（ｆ）新しい隣接セルの記述及び計測報告を示すことができる。
【００３６】
次に図６Ａを参照すれば、ソフトハンドオーバーレッグ１７５及び１７７は、異なる方式で接続全体に寄与することができる。従って、特定の統計情報により、例えば、（ａ）純粋な品質を有するソフトハンドオーバーを具備したセル／ノードＢ（隣接セルの記述からソフトハンドオーバーを除去する目的で収集される統計情報）、（ｂ）計測ＣＰＩＣＨ（レッグが不良なカバレージを具備している場合に、新しいレッグを追加できるように収集される統計情報）、及び（ｃ）不良なＱＥ（Ｑｕａｌｉｔｙ  Ｅｓｔｉｍａｔｅ）を示す時間フレームにおける全体的なセル負荷などの最適化タスクを支援することができる。
【００３７】
次に、図６Ｂを参照すれば、収集可能な更なる統計情報は、隣接セルリストの報告である。この統計情報は、（ａ）ＵＥがＣｅｌｌ＿ＤＣＨ（Ｄｅｄｉｃａｔｅｄ  Ｃｈａｎｎｅｌ）モードにある際に、セル２〜４が、セル１からのソフト／ソフターハンドオーバーの可能な候補となりうるかどうか、（ｂ）ＵＥがＣｅｌｌ＿ＦＡＣＨ（Ｆｏｒｗａｒｄ  Ａｃｃｅｓｓ  Ｃｈａｎｎｅｌ）モードにある際に、ソフト／ソフターハンドオーバーが発生しないかどうか、（ｃ）ＵＥがセル１及びセル５とのソフト／ソフターハンドオーバー状態にある際に、セル２〜８が、ソフトハンドオーバーの候補となりうるかどうかを示すことができる。これらの統計情報は、通話のドロップ又は品質変動を示すことができよう。
【００３８】
次に図６Ｃを参照すれば、重負荷のセル１及び軽負荷のセル２が示されている。ＧＳＭとは異なり、ＵＭＴＳは、時間スロットを具備していない。この代わりに、ユーザーは、雑音レベルを割り当てすることができる。統計情報を収集することにより、雑音レベルが単一の通話にどのような影響を与えるかを評価することができる。これらの統計情報により、ユーザー又は事業者は、例えば、ビジー状態にあるセル１内において、３８４ｋｂレートの通話の際にソフトハンドオーバーは発生不可能であると結論付けることができる。
【００３９】
次のリストは、セルベースの追跡との関連において収集可能な統計情報の候補リストである。尚、このリストは、すべてを網羅したものではなく、模範的なものに過ぎない。
【００４０】
（ＧＥＮＥＲＡＬ  ＩＵＢ  ＩＮＦＯＲＭＡＴＩＯＮ）
Ｃａｌｌ  Ｉｄ
ＶＩＰ（グループ化されていないメッセージの場合に必要である）
Ｂｅａｒｅｒ（グループ化されていないメッセージの場合に必要である）
Ｄｕｒａｔｉｏｎ
Ｓｔａｔｕｓ
Ｓｔａｒｔ  Ｔｉｍｅ
Ｅｓｔａｂｌｉｓｈｍｅｎｔ  Ｃａｕｓｅ
ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）
ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）
Ｏｌｄｅｓｔ  ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）  ＣＳ
Ｌａｔｅｓｔ  ＴＭＳＩ  ＣＳ
Ｏｌｄｅｓｔ  ＴＭＳＩ  ＰＳ
Ｌａｔｅｓｔ  ＴＭＳＩ  ＰＳ
ＬＡＣ（Ｌｉｎｋ  Ａｃｃｅｓｓ  Ｃｏｎｔｒｏｌ）
ＲＡＣ（Ｒｏｕｔｉｎｇ  Ａｒｅａ  Ｃｏｄｅ）
ＳＡＣ
Ｃｅｌｌ  Ｉｄｅｎｔｉｆｉｅｒ
ＮＢＡＰ  Ｃａｕｓｅ
ＡＬＣＡＰ  Ｃａｕｓｅ
ＲＲＣ  Ｒｅｌｅａｓｅ  Ｃａｕｓｅ
ＲＲＣ  Ｒｅｊｅｃｔ  Ｃａｕｓｅ
ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）  Ｃａｕｓｅ
Ｓｅｒｖｉｃｅ  Ｔｙｐｅ
Ｃｅｌｌ  Ｕｐｄａｔｅ  Ｃａｕｓｅ
ＲＲＣ  Ｓｔａｔｅ  Ｉｎｄｉｃａｔｏｒ
Ｓｃｒａｍｂｌｉｎｇ  Ｃｏｄｅ
Ｕｐｌｉｎｋ（Ｒｅｖｅｒｓｅ  Ｌｉｎｋ）（ＵＬ）＿Ｓｃｒａｍｂｌｉｎｇ  Ｃｏｄｅ
Ｉｕ  Ｕｓｅｒ  Ｐｌａｎｅ（ＵＰ）＿Ｍａｘ＿Ｂｉｔ＿Ｒａｔｅ＿ＣＳ
Ｉｕ  ＵＰ＿Ｍａｘ＿Ｂｉｔ＿Ｒａｔｅ＿ＰＳ
Ｉｕ＿Ｄｏｗｎｌｉｎｋ（Ｆｏｒｗａｒｄ  Ｌｉｎｋ）（ＤＬ）＿Ｍａｘ＿Ｂｉｔ＿Ｒａｔｅ＿ＣＳ
Ｉｕ＿ＤＬ＿Ｍａｘ＿Ｂｉｔ＿Ｒａｔｅ＿ＰＳ
ＮＢＡＰ  ＵＬ  Ｍａｘ  Ｎｕｍｂｅｒ  Ｔｒａｎｓｐｏｒｔ  Ｂｌｏｃｋ（ＴＢ）  Ｓｉｇｎａｌｉｎｇ
ＮＢＡＰ  ＤＬ  Ｍａｘ  Ｎｕｍｂｅｒ  ＴＢ  Ｓｉｇｎａｌｉｎｇ
ＮＢＡＰ  Ｔｉｍｅ  Ｔｒａｎｓｍｉｓｓｉｏｎ  Ｉｎｔｅｒｖａｌ  Ｓｉｇｎａｌｉｎｇ
ＮＢＡＰ  ＵＬ  Ｍａｘ  Ｎｕｍｂｅｒ  ＴＢ  Ｄａｔａ
ＮＢＡＰ  ＤＬ  Ｍａｘ  Ｎｕｍｂｅｒ  ＴＢ  Ｄａｔａ
ＮＢＡＰ  Ｔｉｍｅ  Ｔｒａｎｓｍｉｓｓｉｏｎ  Ｉｎｔｅｒｖａｌ
ＮＢＡＰ  ＴＢ  Ｓｐｅｅｃｈ
ＮＢＡＰ  ＤＬ  Ｓｌｏｔ  Ｆｏｒｍａｔ
ＮＢＡＰ  Ｉｎｉｔｉａｌ  ＤＬ  Ｐｏｗｅｒ
ＮＢＡＰ  Ｍｉｎｉｍｕｍ  ＤＬ  Ｐｏｗｅｒ
ＮＢＡＰ  Ｍａｘｉｍｕｍ  ＤＬ  Ｐｏｗｅｒ
ＡＬＣＡＰ  Ｍａｘ  Ｆｏｒｗａｒｄ  ＣＰＳ−ＳＤＵ  Ｂｉｔ  Ｒａｔｅ
ＡＬＣＡＰ  Ｍａｘ  Ｂａｃｋｗａｒｄｓ  ＣＰＳ−ＳＤＵ  Ｂｉｔ  Ｒａｔｅ
ＡＬＣＡＰ  Ａｖｇ  Ｆｏｒｗａｒｄ  ＣＰＳ−ＳＤＵ  Ｂｉｔ  Ｒａｔｅ
ＡＬＣＡＰ  Ａｖｇ  Ｂａｃｋｗａｒｄ  ＣＰＳ−ＳＤＵ  Ｂｉｔ  Ｒａｔｅ
【００４１】
（ＭＥＳＳＡＧＥＳ  ＣＯＵＮＴＥＲ）
Ｎｏ  ｏｆ  ＲＲＣ  Ｃｏｎｎｅｃｔｉｏｎ  Ｒｅｑｕｅｓｔ
Ｎｏ  ｏｆ  ＲＲＣ  Ｃｏｎｎｅｃｔｉｏｎ  Ｓｅｔｕｐ
Ｎｏ  ｏｆ  ＲＲＣ  Ｃｏｎｎｅｃｔｉｏｎ  Ｓｅｔｕｐ  Ｃｏｍｐｌｅｔｅ
Ｎｏ  ｏｆ  ＲＲＣ  Ｃｏｎｎｅｃｔｉｏｎ  Ｒｅｊｅｃｔ
Ｎｏ  ｏｆ  Ｒａｄｉｏ  Ｌｉｎｋ  Ｓｅｔｕｐ
Ｎｏ  ｏｆ  Ｒａｄｉｏ  Ｌｉｎｋ  Ｃｏｍｐｌｅｔｅ
Ｎｏ  ｏｆ  Ｒａｄｉｏ  Ｌｉｎｋ  Ｆａｉｌｕｒｅ
Ｎｏ  ｏｆ  Ｒａｄｉｏ  Ｌｉｎｋ  Ｒｅｃｏｎｆｉｇｕｒａｔｉｏｎ  Ｐｒｅｐａｒｅ
Ｎｏ  ｏｆ  Ｒａｄｉｏ  Ｌｉｎｋ  Ｒｅｃｏｎｆｉｇｕｒａｔｉｏｎ  Ｒｅａｄｙ
Ｎｏ  ｏｆ  Ｒａｄｉｏ  Ｌｉｎｋ  Ｒｅｃｏｎｆｉｇｕｒａｔｉｏｎ  Ｃｏｍｍｉｔ
Ｎｏ  ｏｆ  Ｒａｄｉｏ  Ｌｉｎｋ  Ｒｅｃｏｎｆｉｇｕｒａｔｉｏｎ  Ｆａｉｌｕｒｅ
Ｎｏ  ｏｆ  Ｒａｄｉｏ  Ｌｉｎｋ  Ａｄｄｉｔｉｏｎ  Ｒｅｑｕｅｓｔ
Ｎｏ  ｏｆ  Ｒａｄｉｏ  Ｌｉｎｋ  Ａｄｄｉｔｉｏｎ  Ｒｅｓｐｏｎｓｅ
Ｎｏ  ｏｆ  Ｒａｄｉｏ  Ｌｉｎｋ  Ａｄｄｉｔｉｏｎ  Ｆａｉｌｕｒｅ
Ｎｏ  ｏｆ  Ａｃｔｉｖｅ  Ｓｅｔｕｐ  Ｕｐｄａｔｅ  Ｒｅｑｕｅｓｔ
Ｎｏ  ｏｆ  Ａｃｔｉｖｅ  Ｓｅｔｕｐ  Ｕｐｄａｔｅ  Ｒｅｓｐｏｎｓｅ
Ｎｏ  ｏｆ  Ａｃｔｉｖｅ  Ｓｅｔｕｐ  Ｕｐｄａｔｅ  Ｆａｉｌｕｒｅ
Ｎｏ  ｏｆ  ＡＬＣＡＰ  ＥＳＴ〔ｐｌｅａｓｅ  ｄｅｆｉｎｅ〕  Ｒｅｑｕｅｓｔ
Ｎｏ  ｏｆ  ＡＬＣＡＰ  ＥＳＴ  Ｃｏｎｆｉｒｍ
Ｎｏ  ｏｆ  ＡＬＣＡＰ  ＥＳＴ  Ｒｅｊｅｃｔ
Ｎｏ  ｏｆ  ＡＬＣＡＰ  Ｒｅｌｅａｓｅ  Ｒｅｑｕｅｓｔ
Ｎｏ  ｏｆ  ＡＬＣＡＰ  Ｒｅｌｅａｓｅ  Ｃｏｎｆｉｒｍ
【００４２】
（ＴＩＭＥＲ）
ＲＲＣ  Ｃｏｎｎｅｃｔｉｏｎ  Ｓｅｔｕｐ  Ｔｉｍｅ
Ｒａｄｉｏ  Ｌｉｎｋ  Ｓｅｔｕｐ  Ｔｉｍｅ
Ｒａｄｉｏ  Ｌｉｎｋ  Ｒｅｃｏｎｆｉｇｕｒａｔｉｏｎ  Ｓｅｔｕｐ  Ｔｉｍｅ
ＡＬＣＡＰ  Ｓｅｔｕｐ  Ｔｉｍｅ
Ａｖｅｒａｇｅ  Ｔｉｍｅ  ｂｅｔｗｅｅｎ  Ｒａｄｉｏ  Ｌｉｎｋ  Ｒｅｃｏｎｆｉｇｕｒａｔｉｏｎ
【００４３】
（Ｑｕａｌｉｔｙ）
ＵＬ  Ｑｕａｌｉｔｙ  Ｅｓｔｉｍａｔｉｏｎ  Ｓｉｇｎａｌｉｎｇ
ＵＬ  Ｂｌｏｃｋ  Ｅｒｒｏｒ  Ｒａｔｅ  Ｓｉｇｎａｌｉｎｇ
ＵＬ  Ｑｕａｌｉｔｙ  Ｅｓｔｉｍａｔｉｏｎ  Ｕｓｅｒ  Ｐｌａｎｅ
ＵＬ  Ｂｌｏｃｋ  Ｅｒｒｏｒ  Ｒａｔｅ  Ｕｓｅｒ  Ｐｌａｎｅ
ＳＩＲ  Ｔａｒｇｅｔ  Ｍａｘ
ＳＩＲ  Ｔａｒｇｅｔ  Ｍｉｎ
ＮＢＡＰ  Ｄｅｄｉｃａｔｅｄ  Ｍｅａｓｕｒｅｍｅｎｔ  Ｒｅｐｏｒｔ−ＳＩＲ  ＥＲＲＯＲ  Ｖａｌｕｅ
【００４４】
（ＮＥＩＧＨＢＯＵＲ  ＣＥＬＬ  ＭＥＡＳＵＲＥＭＥＮＴ：  ＩＮＴＲＡ  ＦＲＥＱＵＥＮＣＹ）
Ｍｅａｓｕｒｅｍｅｎｔ  Ｒｅｐｏｒｔｓ：
−Ｉｎｔｒａ  Ｆｒｅｑｕｅｎｃｙ  Ｍｅａｓｕｒｅｍｅｎｔ
−Ｉｎｔｅｒ  Ｆｒｅｑｕｅｎｃｙ  Ｍｅａｓｕｒｅｍｅｎｔ
−Ｉｎｔｅｒ  ＲＡＴ  Ｍｅａｓｕｒｅｍｅｎｔ
−ＵＥ−Ｐｏｓｉｔｉｏｎｉｎｇ  Ｍｅａｓｕｒｅｍｅｎｔ
−Ｔｒａｆｆｉｃ  Ｖｏｌｕｍｅ  Ｍｅａｓｕｒｅｍｅｎｔ
−Ｑｕａｌｉｔｙ  Ｍｅａｓｕｒｅｍｅｎｔ
Ｍｅａｓｕｒｅｍｅｎｔ  Ｃｏｎｔｒｏｌ−Ｉｎｔｒａ  Ｆｒｅｑｕｅｎｃｙ  Ｃｏｕｎｔ
Ｍｅａｓｕｒｅｍｅｎｔ  Ｃｏｎｔｒｏｌ−Ｉｎｔｒａ  Ｆｒｅｑｕｅｎｃｙ  ＳＣ（Ｓｅｒｖｉｃｅ  Ｃｏｄｅ）  １
Ｍｅａｓｕｒｅｍｅｎｔ  Ｃｏｎｔｒｏｌ−Ｉｎｔｒａ  Ｆｒｅｑｕｅｎｃｙ  ＣＰＩＣＨ  Ｔｒａｎｓｍｉｔ（ＴＸ）  Ｐｏｗｅｒ  １
Ｍｅａｓｕｒｅｍｅｎｔ  Ｃｏｎｔｒｏｌ−Ｉｎｔｒａ  Ｆｒｅｑｕｅｎｃｙ  ＳＣ  ２
Ｍｅａｓｕｒｅｍｅｎｔ  Ｃｏｎｔｒｏｌ−Ｉｎｔｒａ  Ｆｒｅｑｕｅｎｃｙ  ＣＰＩＣＨ  ＴＸ  Ｐｏｗｅｒ  ２
Ｍｅａｓｕｒｅｍｅｎｔ  Ｃｏｎｔｒｏｌ−Ｉｎｔｒａ  Ｆｒｅｑｕｅｎｃｙ  ＳＣ  ３
Ｍｅａｓｕｒｅｍｅｎｔ  Ｃｏｎｔｒｏｌ−Ｉｎｔｒａ  Ｆｒｅｑｕｅｎｃｙ  ＣＰＩＣＨ  ＴＸ  Ｐｏｗｅｒ  ３
Ｍｅａｓｕｒｅｍｅｎｔ  Ｃｏｎｔｒｏｌ−Ｉｎｔｒａ  Ｆｒｅｑｕｅｎｃｙ  ＳＣ  ４
Ｍｅａｓｕｒｅｍｅｎｔ  Ｃｏｎｔｒｏｌ−Ｉｎｔｒａ  Ｆｒｅｑｕｅｎｃｙ  ＣＰＩＣＨ  ＴＸ  Ｐｏｗｅｒ  ４
Ｍｅａｓｕｒｅｍｅｎｔ  Ｃｏｎｔｒｏｌ−Ｉｎｔｒａ  Ｆｒｅｑｕｅｎｃｙ  ＳＣ  ５
Ｍｅａｓｕｒｅｍｅｎｔ  Ｃｏｎｔｒｏｌ−Ｉｎｔｒａ  Ｆｒｅｑｕｅｎｃｙ  ＣＰＩＣＨ  ＴＸ  Ｐｏｗｅｒ  ５
Ｍｅａｓｕｒｅｍｅｎｔ  Ｃｏｎｔｒｏｌ−Ｉｎｔｒａ  Ｆｒｅｑｕｅｎｃｙ  ＳＣ  ６
Ｍｅａｓｕｒｅｍｅｎｔ  Ｃｏｎｔｒｏｌ−Ｉｎｔｒａ  Ｆｒｅｑｕｅｎｃｙ  ＣＰＩＣＨ  ＴＸ  Ｐｏｗｅｒ  ６
Ｍｅａｓｕｒｅｍｅｎｔ  Ｃｏｎｔｒｏｌ−Ｉｎｔｒａ  Ｆｒｅｑｕｅｎｃｙ  ＳＣ  ７
Ｍｅａｓｕｒｅｍｅｎｔ  Ｃｏｎｔｒｏｌ−Ｉｎｔｒａ  Ｆｒｅｑｕｅｎｃｙ  ＣＰＩＣＨ  ＴＸ  Ｐｏｗｅｒ  ７
Ｍｅａｓｕｒｅｍｅｎｔ  Ｃｏｎｔｒｏｌ−Ｉｎｔｒａ  Ｆｒｅｑｕｅｎｃｙ  ＳＣ  ８
Ｍｅａｓｕｒｅｍｅｎｔ  Ｃｏｎｔｒｏｌ−Ｉｎｔｒａ  Ｆｒｅｑｕｅｎｃｙ  ＣＰＩＣＨ  ＴＸ  Ｐｏｗｅｒ  ８（イベント消失をトリガ可能とする）
Ｍｅａｓｕｒｅｍｅｎｔ  Ｒｅｐｏｒｔ−Ｉｎｔｒａ  Ｆｒｅｑｕｅｎｃｙ  Ｃｏｕｎｔ
Ｍｅａｓｕｒｅｍｅｎｔ  Ｒｅｐｏｒｔ−Ｉｎｔｒａ  Ｆｒｅｑｕｅｎｃｙ  ＳＣ  １
Ｍｅａｓｕｒｅｍｅｎｔ  Ｒｅｐｏｒｔ−Ｉｎｔｒａ  Ｆｒｅｑｕｅｎｃｙ  ＣＰＩＣＨ  Ｅｃ／Ｉｏ  １
Ｍｅａｓｕｒｅｍｅｎｔ  Ｒｅｐｏｒｔ−Ｉｎｔｒａ  Ｆｒｅｑｕｅｎｃｙ  ＳＣ  ２
Ｍｅａｓｕｒｅｍｅｎｔ  Ｒｅｐｏｒｔ−Ｉｎｔｒａ  Ｆｒｅｑｕｅｎｃｙ  ＣＰＩＣＨ  Ｅｃ／Ｉｏ  １
Ｍｅａｓｕｒｅｍｅｎｔ  Ｒｅｐｏｒｔ−Ｉｎｔｒａ  Ｆｒｅｑｕｅｎｃｙ  ＳＣ  ３
Ｍｅａｓｕｒｅｍｅｎｔ  Ｒｅｐｏｒｔ−Ｉｎｔｒａ  Ｆｒｅｑｕｅｎｃｙ  ＣＰＩＣＨ  Ｅｃ／Ｉｏ  １
Ｍｅａｓｕｒｅｍｅｎｔ  Ｒｅｐｏｒｔ−Ｉｎｔｒａ  Ｆｒｅｑｕｅｎｃｙ  ＳＣ  ４
Ｍｅａｓｕｒｅｍｅｎｔ  Ｒｅｐｏｒｔ−Ｉｎｔｒａ  Ｆｒｅｑｕｅｎｃｙ  ＣＰＩＣＨ  Ｅｃ／Ｉｏ  １
Ｍｅａｓｕｒｅｍｅｎｔ  Ｒｅｐｏｒｔ−Ｉｎｔｒａ  Ｆｒｅｑｕｅｎｃｙ  ＳＣ  ５
Ｍｅａｓｕｒｅｍｅｎｔ  Ｒｅｐｏｒｔ−Ｉｎｔｒａ  Ｆｒｅｑｕｅｎｃｙ  ＣＰＩＣＨ  Ｅｃ／Ｉｏ  １
Ｍｅａｓｕｒｅｍｅｎｔ  Ｒｅｐｏｒｔ−Ｉｎｔｒａ  Ｆｒｅｑｕｅｎｃｙ  ＳＣ  ６
Ｍｅａｓｕｒｅｍｅｎｔ  Ｒｅｐｏｒｔ−Ｉｎｔｒａ  Ｆｒｅｑｕｅｎｃｙ  ＣＰＩＣＨ  Ｅｃ／Ｉｏ  １
Ｍｅａｓｕｒｅｍｅｎｔ  Ｒｅｐｏｒｔ−Ｉｎｔｒａ  Ｆｒｅｑｕｅｎｃｙ  ＳＣ  ７
Ｍｅａｓｕｒｅｍｅｎｔ  Ｒｅｐｏｒｔ−Ｉｎｔｒａ  Ｆｒｅｑｕｅｎｃｙ  ＣＰＩＣＨ  Ｅｃ／Ｉｏ  １
Ｍｅａｓｕｒｅｍｅｎｔ  Ｒｅｐｏｒｔ−Ｉｎｔｒａ  Ｆｒｅｑｕｅｎｃｙ  ＳＣ  ８
Ｅｖｅｎｔ  Ｒｅｓｕｌｔ  Ｔｙｐｅ−Ｉｎｔｒａ  Ｆｒｅｑｕｅｎｃｙ
Ｅｖｅｎｔ  Ｒｅｓｕｌｔ−ＳＣ−Ｏｐｅｎ（計測報告書の最大数を定義する必要がある）
【００４５】
（ＮＥＩＧＨＢＯＵＲ  ＣＥＬＬ  ＭＥＡＳＵＲＥＭＥＮＴ：  ＩＮＴＥＲ  ＲＡＴ  ＭＥＡＳＵＲＥＭＥＮＴ）
Ｍｅａｓｕｒｅｍｅｎｔ  Ｃｏｎｔｒｏｌ  Ｉｎｔｅｒ  ＲＡＴ  ＮｅｗＩｎｔｅｒＲａｔＣｅｌｌＬｉｓｔ  Ｃｏｕｎｔ
Ｍｅａｓｕｒｅｍｅｎｔ  Ｃｏｎｔｒｏｌ  Ｉｎｔｅｒ  ＲＡＴ  ＮＣＣ（Ｎｅｔｗｏｒｋ  Ｃｏｌｏｕｒ  Ｃｏｄｅ）＿１
Ｍｅａｓｕｒｅｍｅｎｔ  Ｃｏｎｔｒｏｌ  Ｉｎｔｅｒ  ＲＡＴ  ＢＣＣ（Ｂａｓｅ  Ｔｒａｎｓｃｅｉｖｅｒ  Ｓｔａｔｉｏｎ  （ＢＴＳ）  Ｃｏｌｏｕｒ  Ｃｏｄｅ）＿１
Ｍｅａｓｕｒｅｍｅｎｔ  Ｃｏｎｔｒｏｌ  Ｉｎｔｅｒ  ＲＡＴ  Ｆｒｅｑｕｅｎｃｙ＿Ｂａｎｄ＿１
Ｍｅａｓｕｒｅｍｅｎｔ  Ｃｏｎｔｒｏｌ  Ｉｎｔｅｒ  ＲＡＴ  ＢＣＣＨ（Ｂｒｏａｄｃａｓｔ  Ｃｏｎｔｒｏｌ  Ｃｈａｎｎｅｌ）＿ＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ）＿１
Ｍｅａｓｕｒｅｍｅｎｔ  Ｃｏｎｔｒｏｌ  Ｉｎｔｅｒ  ＲＡＴ  ＮＣＣ＿２
Ｍｅａｓｕｒｅｍｅｎｔ  Ｃｏｎｔｒｏｌ  Ｉｎｔｅｒ  ＲＡＴ  ＢＣＣ＿２
Ｍｅａｓｕｒｅｍｅｎｔ  Ｃｏｎｔｒｏｌ  Ｉｎｔｅｒ  ＲＡＴ  Ｆｒｅｑｕｅｎｃｙ＿Ｂａｎｄ＿２
Ｍｅａｓｕｒｅｍｅｎｔ  Ｃｏｎｔｒｏｌ  Ｉｎｔｅｒ  ＲＡＴ  ＢＣＣＨ＿ＡＲＦＣＮ＿２
Ｍｅａｓｕｒｅｍｅｎｔ  Ｃｏｎｔｒｏｌ  Ｉｎｔｅｒ  ＲＡＴ  ＮＣＣ＿３
Ｍｅａｓｕｒｅｍｅｎｔ  Ｃｏｎｔｒｏｌ  Ｉｎｔｅｒ  ＲＡＴ  ＢＣＣ＿３
Ｍｅａｓｕｒｅｍｅｎｔ  Ｃｏｎｔｒｏｌ  Ｉｎｔｅｒ  ＲＡＴ  Ｆｒｅｑｕｅｎｃｙ＿Ｂａｎｄ＿３
Ｍｅａｓｕｒｅｍｅｎｔ  Ｃｏｎｔｒｏｌ  Ｉｎｔｅｒ  ＲＡＴ  ＢＣＣＨ＿ＡＲＦＣＮ＿３
Ｍｅａｓｕｒｅｍｅｎｔ  Ｃｏｎｔｒｏｌ  Ｉｎｔｅｒ  ＲＡＴ  ＮＣＣ＿４
Ｍｅａｓｕｒｅｍｅｎｔ  Ｃｏｎｔｒｏｌ  Ｉｎｔｅｒ  ＲＡＴ  ＢＣＣ＿４
Ｍｅａｓｕｒｅｍｅｎｔ  Ｃｏｎｔｒｏｌ  Ｉｎｔｅｒ  ＲＡＴ  Ｆｒｅｑｕｅｎｃｙ＿Ｂａｎｄ＿４
Ｍｅａｓｕｒｅｍｅｎｔ  Ｃｏｎｔｒｏｌ  Ｉｎｔｅｒ  ＲＡＴ  Ｍｅａｓｕｒｅｍｅｎｔ  Ｃｏｎｔｒｏｌ  Ｉｎｔｅｒ  ＲＡＴ  ＢＣＣＨ＿ＡＲＦＣＮ＿４
Ｍｅａｓｕｒｅｍｅｎｔ  Ｃｏｎｔｒｏｌ  Ｉｎｔｅｒ  ＲＡＴ  ＮＣＣ＿５
Ｍｅａｓｕｒｅｍｅｎｔ  Ｃｏｎｔｒｏｌ  Ｉｎｔｅｒ  ＲＡＴ  ＢＣＣ＿５
Ｍｅａｓｕｒｅｍｅｎｔ  Ｃｏｎｔｒｏｌ  Ｉｎｔｅｒ  ＲＡＴ  Ｆｒｅｑｕｅｎｃｙ＿Ｂａｎｄ＿５
Ｍｅａｓｕｒｅｍｅｎｔ  Ｃｏｎｔｒｏｌ  Ｉｎｔｅｒ  ＲＡＴ  ＢＣＣＨ＿ＡＲＦＣＨ＿５
Ｍｅａｓｕｒｅｍｅｎｔ  Ｃｏｎｔｒｏｌ  Ｉｎｔｅｒ  ＲＡＴ  ＮＣＣ＿６
Ｍｅａｓｕｒｅｍｅｎｔ  Ｃｏｎｔｒｏｌ  Ｉｎｔｅｒ  ＲＡＴ  ＢＣＣ＿６
Ｍｅａｓｕｒｅｍｅｎｔ  Ｃｏｎｔｒｏｌ  Ｉｎｔｅｒ  ＲＡＴ  Ｆｒｅｑｕｅｎｃｙ＿Ｂａｎｄ＿７
Ｍｅａｓｕｒｅｍｅｎｔ  Ｃｏｎｔｒｏｌ  Ｉｎｔｅｒ  ＲＡＴ  ＢＣＣＨ＿ＡＲＦＣＮ＿７
Ｍｅａｓｕｒｅｍｅｎｔ  Ｃｏｎｔｒｏｌ  Ｉｎｔｅｒ  ＲＡＴ  ＮＣＣ＿８
Ｍｅａｓｕｒｅｍｅｎｔ  Ｃｏｎｔｒｏｌ  Ｉｎｔｅｒ  ＲＡＴ  ＢＣＣ＿８
Ｍｅａｓｕｒｅｍｅｎｔ  Ｃｏｎｔｒｏｌ  Ｉｎｔｅｒ  ＲＡＴ  Ｆｒｅｑｕｅｎｃｙ＿Ｂａｎｄ＿８
Ｍｅａｓｕｒｅｍｅｎｔ  Ｃｏｎｔｒｏｌ  Ｉｎｔｅｒ  ＲＡＴ  ＢＣＣＨ＿ＡＲＦＣＮ＿８
Ｍｅａｓｕｒｅｍｅｎｔ  Ｃｏｎｔｒｏｌ  Ｉｎｔｅｒ  ＲＡＴ  ＮＣＣ＿９
Ｍｅａｓｕｒｅｍｅｎｔ  Ｃｏｎｔｒｏｌ  Ｉｎｔｅｒ  ＲＡＴ  ＢＣＣ＿９
Ｍｅａｓｕｒｅｍｅｎｔ  Ｃｏｎｔｒｏｌ  Ｉｎｔｅｒ  ＲＡＴ  Ｆｒｅｑｕｅｎｃｙ＿Ｂａｎｄ＿９
Ｍｅａｓｕｒｅｍｅｎｔ  Ｃｏｎｔｒｏｌ  Ｉｎｔｅｒ  ＲＡＴ  ＢＣＣＨ＿ＡＲＦＣＮ＿９
Ｍｅａｓｕｒｅｍｅｎｔ  Ｃｏｎｔｒｏｌ  Ｉｎｔｅｒ  ＲＡＴ  ＮＣＣ＿１０
Ｍｅａｓｕｒｅｍｅｎｔ  Ｃｏｎｔｒｏｌ  Ｉｎｔｅｒ  ＲＡＴ  ＢＣＣ＿１０
Ｍｅａｓｕｒｅｍｅｎｔ  Ｃｏｎｔｒｏｌ  Ｉｎｔｅｒ  ＲＡＴ  Ｆｒｅｑｕｅｎｃｙ＿Ｂａｎｄ＿１０
Ｍｅａｓｕｒｅｍｅｎｔ  Ｃｏｎｔｒｏｌ  Ｉｎｔｅｒ  ＲＡＴ  ＢＣＣＨ＿ＡＲＦＣＮ＿１０
Ｍｅａｓｕｒｅｍｅｎｔ  Ｃｏｎｔｒｏｌ  Ｉｎｔｅｒ  ＲＡＴ  ＮＣＣ＿１１
Ｍｅａｓｕｒｅｍｅｎｔ  Ｃｏｎｔｒｏｌ  Ｉｎｔｅｒ  ＲＡＴ  ＢＣＣ＿１１
Ｍｅａｓｕｒｅｍｅｎｔ  Ｃｏｎｔｒｏｌ  Ｉｎｔｅｒ  ＲＡＴ  Ｆｒｅｑｕｅｎｃｙ＿Ｂａｎｄ＿１１
Ｍｅａｓｕｒｅｍｅｎｔ  Ｃｏｎｔｒｏｌ  Ｉｎｔｅｒ  ＲＡＴ  ＢＣＣＨ＿ＡＲＦＣＮ＿１１
Ｍｅａｓｕｒｅｍｅｎｔ  Ｃｏｎｔｒｏｌ  Ｉｎｔｅｒ  ＲＡＴ  ＮＣＣ＿１２
Ｍｅａｓｕｒｅｍｅｎｔ  Ｃｏｎｔｒｏｌ  Ｉｎｔｅｒ  ＲＡＴ  ＢＣＣ＿１２
Ｍｅａｓｕｒｅｍｅｎｔ  Ｃｏｎｔｒｏｌ  Ｉｎｔｅｒ  ＲＡＴ  Ｆｒｅｑｕｅｎｃｙ＿Ｂａｎｄ＿１２
Ｍｅａｓｕｒｅｍｅｎｔ  Ｃｏｎｔｒｏｌ  Ｉｎｔｅｒ  ＲＡＴ  ＢＣＣＨ＿ＡＲＦＣＮ＿１２
Ｍｅａｓｕｒｅｍｅｎｔ  Ｃｏｎｔｒｏｌ  Ｉｎｔｅｒ  ＲＡＴ  ＩｎｔｅｒＲＡＴＥｖｅｎｔ  Ｔｙｐｅ
Ｍｅａｓｕｒｅｍｅｎｔ  Ｃｏｎｔｒｏｌ  Ｉｎｔｅｒ  ＲＡＴ  Ｔｈｒｅｓｈｏｌｄ
Ｉｎｔｅｒ  ＲＡＴ  Ｍｅａｓｕｒｅｄ  Ｒｅｓｕｌｔｓ  Ｌｉｓｔ  Ｃｏｕｎｔ
Ｉｎｔｅｒ  ＲＡＴ  Ｍｅａｓｕｒｅｄ  Ｒｅｓｕｌｔｓ  Ｌｉｓｔ  ＧＳＭ＿Ｃａｒｒｉｅｒ  ＲＳＳＩ（Ｒｅｃｅｉｖｅｄ  Ｓｉｇｎａｌ  Ｓｔｒｅｎｇｔｈ  Ｉｎｄｉｃａｔｏｒ）＿１
Ｉｎｔｅｒ  ＲＡＴ  Ｍｅａｓｕｒｅｄ  Ｒｅｓｕｌｔｓ  Ｌｉｓｔ  Ｖｅｒｉｆｉｅｄ  ＢＳＩＣ（Ｂａｓｅ  ｔｒａｎｓｃｅｉｖｅｒ  Ｓｔａｔｉｏｎ  Ｉｄｅｎｔｉｔｙ  Ｃｏｄｅ）＿１
Ｉｎｔｅｒ  ＲＡＴ  Ｍｅａｓｕｒｅｄ  Ｒｅｓｕｌｔｓ  Ｌｉｓｔ  ＧＳＭ＿ＣａｒｒｉｅｒＲＳＳＩ＿２
Ｉｎｔｅｒ  ＲＡＴ  Ｍｅａｓｕｒｅｄ  Ｒｅｓｕｌｔｓ  Ｌｉｓｔ  ＶｅｒｉｆｉｅｄＢＳＩＣ＿２
Ｉｎｔｅｒ  ＲＡＴ  Ｍｅａｓｕｒｅｄ  Ｒｅｓｕｌｔｓ  Ｌｉｓｔ  ＧＳＭ＿ＣａｒｒｉｅｒＲＳＳＩ＿３
Ｉｎｔｅｒ  ＲＡＴ  Ｍｅａｓｕｒｅｄ  Ｒｅｓｕｌｔｓ  Ｌｉｓｔ  ＶｅｒｉｆｉｅｄＢＳＩＣ＿３
Ｉｎｔｅｒ  ＲＡＴ  Ｍｅａｓｕｒｅｄ  Ｒｅｓｕｌｔｓ  Ｌｉｓｔ  ＧＳＭ＿ＣａｒｒｉｅｒＲＳＳＩ＿４
Ｉｎｔｅｒ  ＲＡＴ  Ｍｅａｓｕｒｅｄ  Ｒｅｓｕｌｔｓ  Ｌｉｓｔ  ＶｅｒｉｆｉｅｄＢＳＩＣ＿４
Ｉｎｔｅｒ  ＲＡＴ  Ｍｅａｓｕｒｅｄ  Ｒｅｓｕｌｔｓ  Ｌｉｓｔ  ＧＳＭ＿ＣａｒｒｉｅｒＲＳＳＩ＿５
Ｉｎｔｅｒ  ＲＡＴ  Ｍｅａｓｕｒｅｄ  Ｒｅｓｕｌｔｓ  Ｌｉｓｔ  ＶｅｒｉｆｉｅｄＢＳＩＣ＿５
Ｉｎｔｅｒ  ＲＡＴ  Ｍｅａｓｕｒｅｄ  Ｒｅｓｕｌｔｓ  Ｌｉｓｔ  ＧＳＭ＿ＣａｒｒｉｅｒＲＳＳＩ＿６
Ｉｎｔｅｒ  ＲＡＴ  Ｍｅａｓｕｒｅｄ  Ｒｅｓｕｌｔｓ  Ｌｉｓｔ  ＶｅｒｉｆｉｅｄＢＳＩＣ＿６
Ｉｎｔｅｒ  ＲＡＴ  Ｍｅａｓｕｒｅｄ  Ｒｅｓｕｌｔｓ  Ｌｉｓｔ  ＧＳＭ＿ＣａｒｒｉｅｒＲＳＳＩ＿７
Ｉｎｔｅｒ  ＲＡＴ  Ｍｅａｓｕｒｅｄ  Ｒｅｓｕｌｔｓ  Ｌｉｓｔ  ＶｅｒｉｆｉｅｄＢＳＩＣ＿７
Ｉｎｔｅｒ  ＲＡＴ  Ｍｅａｓｕｒｅｄ  Ｒｅｓｕｌｔｓ  Ｌｉｓｔ  ＧＳＭ＿ＣａｒｒｉｅｒＲＳＳＩ＿８
Ｉｎｔｅｒ  ＲＡＴ  Ｍｅａｓｕｒｅｄ  Ｒｅｓｕｌｔｓ  Ｌｉｓｔ  ＶｅｒｉｆｉｅｄＢＳＩＣ＿８
Ｉｎｔｅｒ  ＲＡＴ  Ｍｅａｓｕｒｅｄ  Ｒｅｓｕｌｔｓ  Ｌｉｓｔ  ＧＳＭ＿ＣａｒｒｉｅｒＲＳＳＩ＿９
Ｉｎｔｅｒ  ＲＡＴ  Ｍｅａｓｕｒｅｄ  Ｒｅｓｕｌｔｓ  Ｌｉｓｔ  ＶｅｒｉｆｉｅｄＢＳＩＣ＿９
ＥｖｅｎｔＩＤＩｎｔｅｒＲＡＴ
ＶｅｒｉｆｉｅｄＢＳＩＣ
Ｈａｎｄｏｖｅｒ  Ｆｒｏｍ  ＵＴＲＡＮ  Ｃｏｍｍａｎｄ  ＧＳＭ  −  ＢＳ  Ｃｏｌｏｕｒ  Ｃｏｄｅ
Ｈａｎｄｏｖｅｒ  Ｆｒｏｍ  ＵＴＲＡＮ  Ｃｏｍｍａｎｄ  ＧＳＭ  −  Ｐｕｂｌｉｃ  Ｌａｎｄ  Ｍｏｂｉｌｅ  Ｎｅｔｗｏｒｋ（ＰＬＭＮ）  Ｃｏｌｏｒ  Ｃｏｄｅ
Ｈａｎｄｏｖｅｒ  Ｆｒｏｍ  ＵＴＲＡＮ  Ｃｏｍｍａｎｄ  ＧＳＭ  −  ＢＣＣＨ  ＡＲＦＣＮ
【００４６】
（ＩＮＴＥＲ  ＦＲＥＱＵＥＣＹ  ＭＥＡＳＵＲＥＭＥＮＴ）
Ｔｂｄ．（Ｉｎｔｒａ  Ｆｒｅｑｕｅｎｃｙと同一である）
【００４７】
（ＴＩＭＥ  ＡＤＶＡＮＣＥＤ）
ＦＰ（Ｆｒａｍｅ  Ｐｒｏｔｏｃｏｌ）  ＵＬ  Ｔｉｍｅ  ｏｆ  Ａｒｒｉｖａｌ
【００４８】
（ＣＡＬＣＵＬＡＴＥＤ  ＭＥＡＳＵＲＥＭＥＮＴ）
Ｔｉｍｅ  Ｂｅｔｗｅｅｎ  Ｒｅｃｏｎｆｉｇｕｒａｔｉｏｎ
Ｗｉｔｈ  ｗｈｉｃｈ  Ｃｅｌｌ  ｔｈｅ  Ｃａｌｌ  ｉｓ  ｉｎ  Ｓｏｆｔ  Ｈａｎｄｏｖｅｒ
Ｃｏｎｔｒｉｂｕｔｉｏｎ  ｉｎ  ％  ｔｏ  ｔｈｅ  Ｓｏｆｔ  Ｈａｎｄｏｖｅｒ
Ｔｉｍｅ  ｂｅｔｗｅｅｎ  Ｒａｄｉｏ  Ｌｉｎｋ  Ａｄｄｉｔｉｏｎ
Ｔｉｍｅ  ｂｅｔｗｅｅｎ  Ｒａｄｉｏ  Ｌｉｎｋ  Ｓｅｔｕｐ  ａｎｄ  Ｄｅｌｅｔｉｏｎ
【００４９】
（ＣＯＭＭＯＮ  ＭＥＳＳＡＧＥＳ−ＣＥＬＬ  ＢＡＳＥＤ）
Ｃｏｍｍｏｎ  Ｍｅａｓｕｒｅｍｅｎｔ  Ｒｅｐｏｒｔ  ＲＳＳＩ
Ｃｏｍｍｏｎ  Ｍｅａｓｕｒｅｍｅｎｔ  Ｒｅｐｏｒｔ  ＴＸ  Ｐｏｗｅｒ
Ｃｅｌｌ  Ｓｅｔｕｐ，  Ｄｅｌｅｔｉｏｎ，  Ｒｅｃｏｎｆｉｇｕｒａｔｉｏｎ
【００５０】
第１の可能な分析出力は、事業者によるセル／ノードＢ８９（図２Ａ）と関係したネットワーク内の問題の観察を可能にする表形式の統計情報（図示されてはいない）である。例えば、それぞれのＶＰＩ（Ｖｉｒｔｕａｌ  Ｐａｔｈ  Ｉｄｅｎｔｉｆｉｅｒ）が１つのノードＢ及びいくつかのセルと関連付けられている場合には、この表形式の統計情報内の値は、例えば、ＶＰＩに基づいたものであってよかろう。この表形式の統計情報を充実させるべく、使用周波数（ＵＡＲＦＣ）、使用スクランブリングコード（ＳＣ）、定義されているＴ−セル値（Ｔ−Ｃｅｌｌ）、状態（セル／ノードＢ８９が、現在、受信ＮＢＡＰメッセージに基づいた問題を具備しているかどうかを示すもの）に関する値がＣＤＲに追加可能であろう。この図中において、状態は色分け可能である。表形式の統計情報は、エクスポートリスト；例えば、ＣＩ（Ｃｅｌｌ  Ｉｄｅｎｔｉｔｙ）、ＬＡＣ（Ｌｉｎｋ  Ａｃｃｅｓｓ  Ｃｏｎｔｒｏｌ）、ＳＡＣ（Ｓｅｒｖｉｃｅ  Ａｒｅａ  Ｃｏｄｅ）、ＲＮＣ識別子などのセル情報；セル／位置の名前；例えば、イントラセルリスト、インターセルリスト、及びインターＲＡＴリストを含む単一レッグハンドオーバーにおける計測隣接セル；例えば、イントラセルリスト、インターセルリスト、及びインターＲＡＴリストを含むセルｘとのソフトハンドオーバーにおける計測隣接セル；例えば、ソフトハンドオーバー、ソフターハンドオーバー、ＣＳ通話、ＰＳ通話、及びシグナリングのみを含むセルロード時間に基づいたものの割合；セルｘのソフトハンドオーバーに対する寄与の割合を包含できるであろう（但し、これらに限定されない）。
【００５１】
次に、主に図７を参照すれば、時間１０２に伴う無線リンクセットアップ／無線リンク再構成図２０が示されており、この図は、時間に伴うセル／ノードＢ８９（図２Ａ）内においてセットアップされた無線リンク８６（図２Ａ）の数、無線リンク８６のタイプ（例えば、シグナリング、スピーチ、データ）、無線リンク８６がソフトハンドオーバーと関係しているかどうか（マクロダイバーシティ）、及び無線リンク８６の帯域幅を示すことができよう。更には、無線リンク再構成１０７と、セル／ノードＢ８９のローディングに関係する、例えば、ブロッキングなどのその他のイベントを示すこともできよう。拡散率にマッピング可能な値を含むメッセージ２１（図２Ａ）を使用することにより、データレコード２６（図３）と、最終的には、無線リンクセットアップ図２０にデータ入力可能である。無線リンクセットアップ図２０に示されているように、個別のブロックの高さは、拡散率を示すことが可能であり、Ｙ軸に沿ったブロックの位置は、ＯＶＳＦ（Ｏｒｔｈｏｇｏｎａｌ  Ｖａｒｉａｂｌｅ  Ｓｐｒｅａｄｉｎｇ  Ｆａｃｔｏｒ）位置を示すことができる。この情報を使用することにより、使用されているコードと、ＲＮＣが無線インターフェイス９２（図２Ａ）上においてどれほど効率的にリソースを使用しているかを視覚的に示すことができる。無線リンクセットアップ図２０において、上部のラインは、セルの性能（例えば、無線リソースが利用できないことに起因した無線リンク障害など）の視覚的な表現を付与するべく、有用な共通ＮＢＡＰメッセージ２１又は無線リンク障害メッセージを示すことができる。又、無線リンクセットアップ図２０は、従来技術によるセルの追跡において収集される情報に従ってソフト／ソフターハンドオーバーに関係する無線リンク８６を示すこともできよう。マクロダイバーシティの場合には、無線リンクセットアップ図２０は、ソフトハンドオーバーと関係しているセル／ノードＢ８９上のローディングの部分を示すことができよう。無線リンクセットアップ図２０内において、マクロダイバーシティ（これは、ＵＥが同時に複数のセル／ノードＢ８９に対する接続を具備していることを意味している）を、例えば、異なる色によって示すことができよう。なんらかの時点において、通話２３が１つの無線リンク８６（レッグとも呼ばれる）しか具備していない場合には、マクロダイバーシティは示されず、無線リンクセットアップ図２０内の色は、変化を反映できるであろう。
【００５２】
次に図８を参照すれば、例示用のビットレート図３０は、セル／ノードＢ８９（図２Ａ）に関係する通話２３（図３）に関する情報が表示可能である。例えば、最大及び平均フォワード及びバックグラウンドＣＰＳ＿ＳＤＵ（Ｃｏｍｍｏｎ  Ｐａｒｔ  Ｓｕｂｌａｙｅｒ  Ｓｅｒｖｉｃｅ  Ｄａｔａ  Ｕｎｉｔ）ビットレート及び経路識別子などの値を具備するＡＬＣＡＰ確立要求メッセージ内に示されている時間１０２に伴う最大割当ビットレート１０４及び平均割当ビットレート１０６が表示可能であろう。
【００５３】
次に図９を参照すれば、例示用のセルベースのＳＩＲ、ＱＥ、及びＣＲＣＩ図４０は、セル当たりのＳＩＲ、ＱＥ、及びＣＲＣＩ分析が表示可能である。セルベースのＳＩＲ、ＱＥ、及びＣＲＣＩ図４０は、ＷＤＣＭＡ技術における複数の通話２３（図３）から結果的に生じる問題の特定を支援できるであろう。又、セルベースのＳＩＲ、ＱＥ、及びＣＲＣＩ図４０は、平均ＱＥ値を示すこともできよう。
【００５４】
次に、図１０を参照すれば、例示用の専用計測分析図５０は、セル当たりの専用計測分析が表示可能である。専用計測分析図５０は、ＷＣＤＭＡ技術における複数の通話２３（図３）間の問題の理解を支援できるであろう。
【００５５】
以上、様々な実施例との関連において本発明について説明したが、本発明は、様々な更なる及びその他の実施例を有することも可能であることを理解されたい。
【図面の簡単な説明】
【００５６】
【図１】（Ａ）は、本発明のシステムが稼動可能な地理的環境の図である。（Ｂ）、（Ｃ）は、オーバーラップしているマルチセル構成の図である。
【図２】（Ａ）は、本発明のシステムが稼動可能なネットワーク環境の概略ブロックダイアグラムである。（Ｂ）は、本発明のネットワーク環境内の対象コンポーネントの拡大概略ブロックダイアグラムである。
【図３】本発明のシステムの概略ブロックダイアグラムである。
【図４】本発明の方法のフローチャートである。
【図５】（Ａ）、（Ｂ）は、それぞれ、模範的な通話ベースの及びセルベースのＣＤＲの生成構造を示す概略図である。
【図６】（Ａ）は、セルベースの統計情報が有用である模範的な構成を示す概略図である。（Ｂ）は、模範的なハンドオーバー構成を示す概略図である。（Ｃ）は、重負荷及び軽負荷のセル構成を示す概略図である。
【図７】本発明のシステム及び方法によって生成された例示用の無線リンクセットアップ図である。
【図８】本発明のシステム及び方法によって生成された例示用のビットレート図である。
【図９】本発明のシステム及び方法によって生成された例示用のセルベースのＳＩＲ（Ｓｉｇｎａｌ−ｔｏ−Ｉｎｔｅｒｆｅｒｅｎｃｅ  Ｒａｔｉｏ）、ＱＥ（Ｑｕａｌｉｔｙ  Ｅｓｔｉｍａｔｅ）、及びＣＲＣＩ（Ｃｙｃｌｉｃ  Ｒｅｄｕｎｄａｎｃｙ  Ｃｈｅｃｋｓｕｍ  Ｉｎｄｉｃａｔｏｒ）図である。
【図１０】本発明のシステム及び方法によって生成された例示用の専用計測分析図である。
【符号の説明】
【００５７】
１１  セルメッセージレシーバ
１３  メッセージ通話リンカ
１５  無線リンクファインダ
１７  データレコードクリエータ
１９  データレコードポピュレータ
２０  無線リンクセットアップ図
２１  メッセージ
２２  メッセージカバレージエリア
２３  通話
２６  データレコード
２７  統計情報
２７Ａ  品質情報
２７Ｂ  メッセージカバレージエリア情報
２７Ｃ  計測結果
２７Ｄ  メッセージカウント
２８  統計情報プロセッサ
３０  ビットレート図
４０  ＳＩＲ、ＱＥ、及びＣＲＣＩ図
５０  専用計測分析図
８１  コンピュータ可読媒体
８４  通信ネットワーク
８５  コンピュータ
８６  無線リンク
８９  セル
９２  インターフェイス
１００  システム
１０２  時間
１０４  最大ビットレート
１０６  平均ビットレート
１０７  無線リンク再構成
【図１】
2007129706.tif 000003
【図２】
2007129706.tif 000004
【図３】
2007129706.tif 000005
【図４】
2007129706.tif 000006
【図５】
2007129706.tif 000007
【図６】
2007129706.tif 000008
【図７】
2007129706.tif 000009
【図８】
2007129706.tif 000010
【図９】
2007129706.tif 000011
【図１０】
2007129706.tif 000012